(57)【要約】  本出願の実施形態は、ソース・クライアントに適用されるべきデータ送信方法および装置を開示し、ソース・クライアントは、モバイル端末においてフォアグラウンド実行ステータスであるクライアントであり、モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法は、ソース・クライアントとターゲット・クライアントとの間の通信接続を確立するステップと、ソース・クライアントにおけるターゲット・データのサムネイルに対するドラッグ命令を受信し、ドラッグ命令に従ってサムネイルを移動するステップと、ターゲット・データに対するデータ送信命令が受信されたかどうかを監視するステップと、受信された場合、確立された通信接続を介してターゲット・データをターゲット・クライアントに送信するステップとを含む。本出願の実施形態を適用することによって、ユーザは、データ送信動作を簡略化する分割画面技術を十分に利用することができる。
2018503185.tif 000002
【特許請求の範囲】
【請求項１】
ソース・クライアントに適用されるべきデータ送信方法であって、前記ソース・クライアントが、モバイル端末においてフォアグラウンド実行状態であるクライアントであり、前記モバイル端末が、分割画面機能によって、その表示画面を、前記ソース・クライアントの実行インターフェースを表示するための第１の分割画面と、ターゲット・クライアントの実行インターフェースを表示するための第２の分割画面とに分け、前記ターゲット・クライアントが、前記モバイル端末においてフォアグラウンド実行状態であるクライアントである、データ送信方法において、
通信接続を確立する事前設定された条件が満たされる場合に、前記ソース・クライアントと前記ターゲット・クライアントとの間の通信接続を確立するステップと、
前記ソース・クライアントにおけるターゲット・データのサムネイルに対するドラッグ命令を受信し、前記ドラッグ命令に従って前記サムネイルを移動するステップと、
前記ターゲット・データに対するデータ送信命令が受信されたかどうかを監視するステップと、
受信された場合、前記確立された通信接続を介して前記ターゲット・データを前記ターゲット・クライアントに送信するステップと、
を含むデータ送信方法。
【請求項２】
前記ソース・クライアントが、通信ユニットＴＵ１を備え、前記ターゲット・クライアントが、通信ユニットＴＵ２を備え、前記通信ユニットＴＵ１が、前記通信ユニットＴＵ２と同一であり、
前記ソース・クライアントと前記ターゲット・クライアントとの間の通信接続を確立する前記ステップが、
前記通信ユニットＴＵ２との通信接続を確立するために前記通信ユニットＴＵ１を起動することによって、前記ソース・クライアントと前記ターゲット・クライアントとの間の前記通信接続を確立するステップ、
を含む請求項１に記載のデータ送信方法。
【請求項３】
通信接続を確立する事前設定された条件が満たされる場合に、前記ソース・クライアントと前記ターゲット・クライアントとの間の通信接続を確立する前記ステップが、
ユーザによる前記ソース・クライアントにおける前記ターゲット・データの前記サムネイルに対する長押し動作の持続時間が事前設定された持続時間よりも大きいかどうかを監視するステップと、
大きい場合、前記ソース・クライアントと前記ターゲット・クライアントとの間の前記通信接続を確立するステップと、
を含む請求項１または２に記載のデータ送信方法。
【請求項４】
前記ドラッグ命令に従って前記サムネイルを移動した後、
前記ドラッグ命令に従って、前記第１の分割画面上の前記サムネイルの位置Ｔ１と、前記第１の分割画面上の前記サムネイルの表示されるべき部分ＤＳ１とを決定し、前記位置Ｔ１において前記表示されるべき部分ＤＳ１を表示し、前記確立された通信接続を介して前記サムネイルの位置情報と前記サムネイルのパターンとを前記ターゲット・クライアントに送るステップであって、その結果、前記ターゲット・クライアントが、前記受信された情報に従って、前記第２の分割画面上の前記サムネイルの位置Ｔ２と、前記第２の分割画面上の前記サムネイルの表示されるべき部分ＤＳ２とを決定し、前記位置Ｔ２において前記表示されるべき部分ＤＳ２を表示し、前記表示されるべき部分ＤＳ１および前記表示されるべき部分ＤＳ２が、前記サムネイルの全体を構成するステップ、
をさらに含む請求項１または２に記載のデータ送信方法。
【請求項５】
前記ターゲット・データに対するデータ送信命令が受信されたかどうかを監視する前記ステップが、
前記サムネイルに対する解放動作がユーザによって実施されるときに、前記第２の分割画面上で表示された前記サムネイルの前記表示されるべき部分ＤＳ２と前記サムネイルの前記全体との比率が、事前設定された比率しきい値よりも大きいかどうかを監視するステップと、
大きい場合、前記ターゲット・データに対する前記データ送信命令が受信されたと決定するステップと、
を含む請求項４に記載のデータ送信方法。
【請求項６】
ソース・クライアントに適用されるべきデータ送信装置であって、前記ソース・クライアントが、モバイル端末においてフォアグラウンド実行状態であるクライアントであり、前記モバイル端末が、分割画面機能によって、その表示画面を、前記ソース・クライアントの実行インターフェースを表示するための第１の分割画面と、ターゲット・クライアントの実行インターフェースを表示するための第２の分割画面とに分け、前記ターゲット・クライアントが、前記モバイル端末においてフォアグラウンド実行ステータスであるクライアントである、データ送信装置において、通信接続確立ユニットと、ドラッグ命令受信ユニットと、データ送信命令監視ユニットと、データ送信ユニットとを備え、
前記通信接続確立ユニットが、通信接続を確立する事前設定された条件が満たされる場合に、前記ソース・クライアントと前記ターゲット・クライアントとの間の通信接続を確立するために使用され、
前記ドラッグ命令受信ユニットが、前記ソース・クライアントにおけるターゲット・データのサムネイルに対するドラッグ命令を受信し、前記ドラッグ命令に従って前記サムネイルを移動するために使用され、
前記データ送信命令監視ユニットが、前記ターゲット・データに対するデータ送信命令が受信されたかどうかを監視し、受信された場合、前記データ送信ユニットをトリガするために使用され、
前記データ送信ユニットが、前記確立された通信接続を介して前記ターゲット・データを前記ターゲット・クライアントに送信するために使用される、
データ送信装置。
【請求項７】
前記ソース・クライアントが、通信ユニットＴＵ１を備え、前記ターゲット・クライアントが、通信ユニットＴＵ２を備え、前記通信ユニットＴＵ１が、前記通信ユニットＴＵ２と同一であり、
前記通信接続確立ユニットが、
通信接続を確立する前記事前設定された条件が満たされる場合に、前記通信ユニットＴＵ２との通信接続を確立するために前記通信ユニットＴＵ１を起動することによって、前記ソース・クライアントと前記ターゲット・クライアントとの間の前記通信接続を確立するために特に使用される、
請求項６に記載のデータ送信装置。
【請求項８】
前記通信接続確立ユニットが、長押し動作監視サブユニットと、通信接続確立サブユニットとを備え、
前記長押し動作監視サブユニットが、ユーザによる前記ソース・クライアントにおける前記ターゲット・データの前記サムネイルに対する長押し動作の持続時間が事前設定された持続時間よりも長いかどうかを監視し、長い場合、前記通信接続確立サブユニットをトリガするために使用され、
前記通信接続確立サブユニットが、前記ソース・クライアントと前記ターゲット・クライアントとの間の前記通信接続を確立するために使用される、
請求項６または７に記載のデータ送信装置。
【請求項９】
表示部分決定ユニットをさらに備え、前記表示部分決定ユニットが、前記ドラッグ命令に従って、前記第１の分割画面上の前記サムネイルの位置Ｔ１と、前記第１の分割画面上の前記サムネイルの表示されるべき部分ＤＳ１とを決定し、前記位置Ｔ１において前記表示されるべき部分ＤＳ１を表示し、前記確立された通信接続を介して位置情報と前記サムネイルのパターンとを前記ターゲット・クライアントに送ることであって、その結果、前記ターゲット・クライアントが、前記受信された情報に従って、前記第２の分割画面上の前記ターゲット・データの前記サムネイルの位置Ｔ２と、前記第２の分割画面上の前記サムネイルの表示されるべき部分ＤＳ２とを決定し、前記位置Ｔ２において前記表示されるべき部分ＤＳ２を表示し、前記表示されるべき部分ＤＳ１および前記表示されるべき部分ＤＳ２が、前記サムネイルの全体を構成する、ことを行うために使用されることを特徴とする、
請求項６または７に記載のデータ送信装置。
【請求項１０】
前記データ送信命令監視ユニットが、サムネイル監視サブユニットと、データ送信命令決定サブユニットとを備え、
前記サムネイル監視サブユニットが、前記サムネイルに対する解放動作がユーザによって実施されるときに、前記第２の分割画面上で表示された前記サムネイルの前記表示されるべき部分ＤＳ２と前記サムネイルの前記全体との比率が、事前設定された比率しきい値よりも大きいかどうかを監視し、大きい場合、前記データ送信命令決定サブユニットをトリガするために使用され、
前記データ送信命令決定サブユニットが、前記ターゲット・データに対する前記データ送信命令が受信されたと決定するために使用される、
請求項９に記載のデータ送信装置。
【請求項１１】
モバイル端末であって、筐体と、プロセッサと、メモリと、回路板と、電源回路とを備え、前記回路板が、前記筐体によって囲まれた空間内部に配設され、前記プロセッサおよび前記メモリが、前記回路板上に設けられ、前記電源回路が、電力を前記モバイル端末の各回路またはデバイスに供給するために使用され、前記メモリが、実行可能プログラムコードを記憶するために使用され、前記表示画面が、前記モバイル端末においてフォアグラウンド実行状態であるクライアントであるソース・クライアントの実行インターフェースを表示するための第１の分割画面と、前記モバイル端末においてフォアグラウンド実行状態であるクライアントであるターゲット・クライアントの実行インターフェースを表示するための第２の分割画面とに分けられ、前記プロセッサが、前記メモリに記憶された前記ソース・クライアントの前記実行可能プログラムコードを実行することによって、以下のステップ、すなわち、
通信接続を確立する事前設定された条件が満たされる場合に、前記ソース・クライアントと前記ターゲット・クライアントとの間の通信接続を確立するステップと、
前記ソース・クライアントにおけるターゲット・データのサムネイルに対するドラッグ命令を受信し、前記ドラッグ命令に従って前記サムネイルを移動するステップと、
前記ターゲット・データに対するデータ送信命令が受信されたかどうかを監視するステップと、
受信された場合、前記確立された通信接続を介して前記ターゲット・データを前記ターゲット・クライアントに送信するステップと、
を実施するモバイル端末。
【請求項１２】
前記ソース・クライアントが、通信ユニットＴＵ１を備え、前記ターゲット・クライアントが、通信ユニットＴＵ２を備え、前記通信ユニットＴＵ１が、前記通信ユニットＴＵ２と同一であり、
前記通信ユニットＴＵ２との通信接続を確立するために前記通信ユニットＴＵ１を起動することによって、前記ソース・クライアントと前記ターゲット・クライアントとの間の前記通信接続を確立するために使用される、
請求項１１に記載のモバイル端末。
【請求項１３】
前記ドラッグ命令に従って、前記第１の分割画面上の前記サムネイルの位置Ｔ１と、前記第１の分割画面上の前記サムネイルの表示されるべき部分ＤＳ１とを決定し、前記位置Ｔ１において前記表示されるべき部分ＤＳ１を表示し、前記確立された通信接続を介して位置情報と前記サムネイルのパターンとを前記ターゲット・クライアントに送ることであって、その結果、前記ターゲット・クライアントが、前記受信された情報に従って、前記第２の分割画面上の前記ターゲット・データの前記サムネイルの位置Ｔ２と、前記第２の分割画面上の前記サムネイルの表示されるべき部分ＤＳ２とを決定し、前記位置Ｔ２において前記表示されるべき部分ＤＳ２を表示し、前記表示されるべき部分ＤＳ１および前記表示されるべき部分ＤＳ２が、前記サムネイルの全体を構成する、
ことを行うためにさらに使用される請求項１１または１２に記載のモバイル端末。
【請求項１４】
実行可能プログラムコードであって、実行されると、以下のステップ、すなわち、
通信接続を確立する事前設定された条件が満たされる場合に、ソース・クライアントとターゲット・クライアントとの間の通信接続を確立するステップであって、前記ソース・クライアントが、モバイル端末においてフォアグラウンド実行状態であるクライアントであり、前記モバイル端末が、分割画面機能によって、その表示画面を、前記ソース・クライアントの実行インターフェースを表示するための第１の分割画面と、ターゲット・クライアントの実行インターフェースを表示するための第２の分割画面とに分け、前記ターゲット・クライアントが、前記モバイル端末においてフォアグラウンド実行状態であるクライアントである、ステップと、
前記ソース・クライアントにおけるターゲット・データのサムネイルに対するドラッグ命令を受信し、前記ドラッグ命令に従って前記サムネイルを移動するステップと、
前記ターゲット・データに対するデータ送信命令が受信されたかどうかを監視するステップと、
受信された場合、前記確立された通信接続を介して前記ターゲット・データを前記ターゲット・クライアントに送信するステップと、
を実施するために使用されるプログラム。
【請求項１５】
記憶媒体であって、実行可能なプログラムを記憶するために使用され、前記プログラムが、以下のステップ、すなわち、
通信接続を確立する事前設定された条件が満たされる場合に、ソース・クライアントとターゲット・クライアントとの間の通信接続を確立するステップであって、前記ソース・クライアントが、モバイル端末においてフォアグラウンド実行状態であるクライアントであり、前記モバイル端末が、分割画面機能によって、その表示画面を、前記ソース・クライアントの実行インターフェースを表示するための第１の分割画面と、ターゲット・クライアントの実行インターフェースを表示するための第２の分割画面とに分け、前記ターゲット・クライアントが、前記モバイル端末においてフォアグラウンド実行状態であるクライアントである、ステップと、
前記ソース・クライアントにおけるターゲット・データのサムネイルに対するドラッグ命令を受信し、前記ドラッグ命令に従って前記サムネイルを移動するステップと、
前記ターゲット・データに対するデータ送信命令が受信されたかどうかを監視するステップと、
受信された場合、前記確立された通信接続を介して前記ターゲット・データを前記ターゲット・クライアントに送信するステップと、
を実施するために実行されるプログラムが記憶されている記憶媒体。
【発明の詳細な説明】
【技術分野】
【０００１】
(関連出願の相互参照)
本出願は、その全体が参照により本明細書に組み込まれる、２０１５年１２月４日に中国特許庁に出願された「Ｄａｔａ  Ｔｒａｎｓｍｉｓｓｉｏｎ  Ｍｅｔｈｏｄ  ａｎｄ  Ａｐｐａｒａｔｕｓ」と題する中国特許出願第２０１５１０８８８６８１．４号の優先権の利益を主張する。
【０００２】
本出願は、情報処理技術の分野に関し、特に、データ送信方法および装置に関する。
【背景技術】
【０００３】
近年、モバイル・デバイスは広く使用され、モバイル・デバイスと関係している関連技術は成熟しつつある。
【０００４】
現在のところ、分割画面技術はモバイル・デバイスにうまく適用されている。分割画面機能を有するモバイル・デバイスでは、表示画面は２つの部分に分けることができ、２つの部分はそれぞれ、モバイル・デバイスにおいてフォアグラウンド実行ステータスである２つのアプリケーション・クライアントの実行インターフェースを表示するために使用される。このようにして、ユーザが２つのアプリケーション・クライアントの実行インターフェースを閲覧したいとき、ユーザは、一方のアプリケーション・クライアントの実行インターフェースを閉じ、次いで他方のアプリケーション・クライアントの実行インターフェースを開く必要なしに、これらの実行インターフェースを２つの分割画面上で同時に閲覧することができる。
【０００５】
モバイル・デバイスが分割画面機能を備えた後では、ユーザは、アプリケーション・クライアントを頻繁に切り替える必要なしに、このモバイル・デバイスにおいて複数のタスクを同時に処理することができるが、このモバイル・デバイスにおいて両方ともフォアグラウンド実行ステータスである２つのアプリケーション・クライアントの間でデータを送信するとき、２つの方法が一般に使用される。
【０００６】
一方の方法は、ソース・アプリケーション・クライアントがターゲット・データをモバイル・デバイスに記憶し、次いで、ターゲット・アプリケーション・クライアントがモバイル・デバイスから上記のターゲット・データを取得し、ターゲット・データを対応する位置に挿入することにある。
【０００７】
他方の方法は、ソース・アプリケーション・クライアントが、メニューを介してターゲット・アプリケーション・クライアントを選択してターゲット・データを開き、それによって、ターゲット・データをターゲット・アプリケーション・クライアントに送信することにある。
【０００８】
従来技術では、モバイル・デバイスにおいて両方ともフォアグラウンド実行ステータスである２つのアプリケーション・クライアントの間でデータを送信するとき、データ送信を完了するためにいくつかのステップを実施することが必要であり、したがって、動作を複雑にする。
【発明の概要】
【発明が解決しようとする課題】
【０００９】
本出願の実施形態の目的は、データ転送動作を簡略化するためのデータ送信方法および装置を提供することである。
【課題を解決するための手段】
【００１０】
上記の目的を達成するために、本出願の一実施形態は、ソース・クライアントに適用されるべきデータ送信方法を開示し、ソース・クライアントは、モバイル端末においてフォアグラウンド実行状態であるクライアントであり、モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行状態であるクライアントであり、本方法は、
通信接続を確立する事前設定された条件が満たされる場合に、ソース・クライアントとターゲット・クライアントとの間の通信接続を確立するステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を含む。
【００１１】
一実装形態では、ソース・クライアントは、通信ユニットＴＵ１を備え、ターゲット・クライアントは、通信ユニットＴＵ２を備え、通信ユニットＴＵ１は、通信ユニットＴＵ２と同一であり、
ソース・クライアントとターゲット・クライアントとの間の通信接続を確立するステップは、
通信ユニットＴＵ２との通信接続を確立するために通信ユニットＴＵ１を起動することによって、ソース・クライアントとターゲット・クライアントとの間の通信接続を確立するステップ、
を含む。
【００１２】
一実装形態では、通信接続を確立する事前設定された条件が満たされる場合に、ソース・クライアントとターゲット・クライアントとの間の通信接続を確立するステップは、
ユーザによるソース・クライアントにおけるターゲット・データのサムネイルに対する長押し動作の持続時間が事前設定された持続時間よりも大きいかどうかを監視するステップと、
大きい場合、ソース・クライアントとターゲット・クライアントとの間の通信接続を確立するステップと、
を含む。
【００１３】
一実装形態では、ドラッグ命令に従ってサムネイルを移動した後、本方法は、
ドラッグ命令に従って、第１の分割画面上のサムネイルの位置Ｔ１と、第１の分割画面上のサムネイルの表示されるべき部分ＤＳ１とを決定し、位置Ｔ１において表示されるべき部分ＤＳ１を表示し、確立された通信接続を介してサムネイルの位置情報とサムネイルのパターンとをターゲット・クライアントに送るステップであって、その結果、ターゲット・クライアントが、受信された情報に従って、第２の分割画面上のサムネイルの位置Ｔ２と、第２の分割画面上のサムネイルの表示されるべき部分ＤＳ２とを決定し、位置Ｔ２において表示されるべき部分ＤＳ２を表示し、表示されるべき部分ＤＳ１および表示されるべき部分ＤＳ２が、サムネイルの全体を構成する、ステップ、
をさらに含む。
【００１４】
一実装形態では、ターゲット・データに対するデータ送信命令が受信されたかどうかを監視するステップは、
サムネイルに対する解放動作がユーザによって実施されるときに、第２の分割画面上で表示されたサムネイルの表示されるべき部分ＤＳ２とサムネイルの全体との比率が、事前設定された比率しきい値よりも大きいかどうかを監視するステップと、
大きい場合、ターゲット・データに対するデータ送信命令が受信されたと決定するステップと、
を含む。
【００１５】
上記の目的を達成するために、本出願の一実施形態は、ソース・クライアントに適用されるべきデータ送信装置も開示し、ソース・クライアントは、モバイル端末においてフォアグラウンド実行状態であるクライアントであり、モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントであり、本装置は、通信接続確立ユニットと、ドラッグ命令受信ユニットと、データ送信命令監視ユニットと、データ送信ユニットとを備え、
【００１６】
通信接続確立ユニットは、通信接続を確立する事前設定された条件が満たされる場合に、ソース・クライアントとターゲット・クライアントとの間の通信接続を確立するために使用され、
ドラッグ命令受信ユニットは、ソース・クライアントにおけるターゲット・データのサムネイルに対するドラッグ命令を受信し、ドラッグ命令に従ってサムネイルを移動するために使用され、
データ送信命令監視ユニットは、ターゲット・データに対するデータ送信命令が受信されたかどうかを監視し、受信された場合、データ送信ユニットをトリガするために使用され、
データ送信ユニットは、確立された通信接続を介してターゲット・データをターゲット・クライアントに送信するために使用される。
【００１７】
一実装形態では、ソース・クライアントは、通信ユニットＴＵ１を備え、ターゲット・クライアントは、通信ユニットＴＵ２を備え、通信ユニットＴＵ１は、通信ユニットＴＵ２と同一であり、
通信接続確立ユニットは、
通信接続を確立する事前設定された条件が満たされる場合に、通信ユニットＴＵ２との通信接続を確立するために通信ユニットＴＵ１を起動することによって、ソース・クライアントとターゲット・クライアントとの間の通信接続を確立するために特に使用される。
【００１８】
一実装形態では、通信接続確立ユニットは、長押し動作監視サブユニットと、通信接続確立サブユニットとを備え、
長押し動作監視サブユニットは、ユーザによるソース・クライアントにおけるターゲット・データのサムネイルに対する長押し動作の持続時間が事前設定された持続時間よりも長いかどうかを監視し、長い場合、通信接続確立サブユニットをトリガするために使用され、
通信接続確立サブユニットは、ソース・クライアントとターゲット・クライアントとの間の通信接続を確立するために使用される。
【００１９】
一実装形態では、本装置は、表示部分決定ユニットをさらに備え、表示部分決定ユニットは、ドラッグ命令に従って、第１の分割画面上のサムネイルの位置Ｔ１と、第１の分割画面上のサムネイルの表示されるべき部分ＤＳ１とを決定し、位置Ｔ１において表示されるべき部分ＤＳ１を表示し、確立された通信接続を介して位置情報とサムネイルのパターンとをターゲット・クライアントに送ることであって、その結果、ターゲット・クライアントが、受信された情報に従って、第２の分割画面上のターゲット・データのサムネイルの位置Ｔ２と、第２の分割画面上のサムネイルの表示されるべき部分ＤＳ２とを決定し、位置Ｔ２において表示されるべき部分ＤＳ２を表示し、表示されるべき部分ＤＳ１および表示されるべき部分ＤＳ２が、サムネイルの全体を構成する、ことを行うために使用される。
【００２０】
一実装形態では、データ送信命令監視ユニットは、サムネイル監視サブユニットと、データ送信命令決定サブユニットとを備え、
サムネイル監視サブユニットは、サムネイルに対する解放動作がユーザによって実施されるときに、第２の分割画面上で表示されたサムネイルの表示されるべき部分ＤＳ２とサムネイルの全体との比率が、事前設定された比率しきい値よりも大きいかどうかを監視し、大きい場合、データ送信命令決定サブユニットをトリガするために使用され、
データ送信命令決定サブユニットは、ターゲット・データに対するデータ送信命令が受信されたと決定するために使用される。
【００２１】
上記の目的を達成するために、本出願の一実施形態は、表示画面と、筐体と、プロセッサと、メモリと、回路板と、電源回路とを備えるモバイル端末も開示し、回路板は、筐体によって囲まれた空間内部に配設され、プロセッサおよびメモリは、回路板上に設けられ、電源回路は、電力をモバイル端末の各回路またはデバイスに供給するために使用され、メモリは、実行可能プログラムコードを記憶するために使用され、表示画面は、モバイル端末においてフォアグラウンド実行状態であるクライアントであるソース・クライアントの実行インターフェースを表示するための第１の分割画面と、モバイル端末においてフォアグラウンド実行状態であるクライアントであるターゲット・クライアントの実行インターフェースを表示するための第２の分割画面とに分けられ、プロセッサは、メモリに記憶されたソース・クライアントの実行可能プログラムコードを実行することによって、以下のステップ、すなわち、
通信接続を確立する事前設定された条件が満たされる場合に、ソース・クライアントとターゲット・クライアントとの間の通信接続を確立するステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施する。
【００２２】
一実装形態では、ソース・クライアントは、通信ユニットＴＵ１を備え、ターゲット・クライアントは、通信ユニットＴＵ２を備え、通信ユニットＴＵ１は、通信ユニットＴＵ２と同一であり、
モバイル端末は、
通信ユニットＴＵ２との通信接続を確立するために通信ユニットＴＵ１を起動することによって、ソース・クライアントとターゲット・クライアントとの間の通信接続を確立するために特に使用される。
【００２３】
一実装形態では、モバイル端末は、
ドラッグ命令に従って、第１の分割画面上のサムネイルの位置Ｔ１と、第１の分割画面上のサムネイルの表示されるべき部分ＤＳ１とを決定し、位置Ｔ１において表示されるべき部分ＤＳ１を表示し、確立された通信接続を介して位置情報とサムネイルのパターンとをターゲット・クライアントに送ることであって、その結果、ターゲット・クライアントが、受信された情報に従って、第２の分割画面上のターゲット・データのサムネイルの位置Ｔ２と、第２の分割画面上のサムネイルの表示されるべき部分ＤＳ２とを決定し、位置Ｔ２において表示されるべき部分ＤＳ２を表示し、表示されるべき部分ＤＳ１および表示されるべき部分ＤＳ２が、サムネイルの全体を構成する、ことを行うためにさらに使用される。
【００２４】
上記の目的を達成するために、本出願の一実施形態は、実行されると、以下のステップ、すなわち、
通信接続を確立する事前設定された条件が満たされる場合に、ソース・クライアントとターゲット・クライアントとの間の通信接続を確立するステップであって、ソース・クライアントが、モバイル端末においてフォアグラウンド実行状態であるクライアントであり、モバイル端末が、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントが、モバイル端末においてフォアグラウンド実行状態であるクライアントである、ステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施するための実行可能プログラムコードも開示する。
【００２５】
上記の目的を達成するために、本出願の一実施形態は、実行可能プログラムコードを記憶するための記憶媒体も開示し、実行可能プログラムコードは、以下のステップ、すなわち、
通信接続を確立する事前設定された条件が満たされる場合に、ソース・クライアントとターゲット・クライアントとの間の通信接続を確立するステップであって、ソース・クライアントが、モバイル端末においてフォアグラウンド実行状態であるクライアントであり、モバイル端末が、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントが、モバイル端末においてフォアグラウンド実行状態であるクライアントである、ステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施するために実行される。
【００２６】
本出願の実施形態では、モバイル端末は、分割画面機能によって、その表示画面を第１の分割画面と第２の分割画面とに分け、２つのアプリケーション・クライアントの実行インターフェースを同時に表示することができ、このモバイル端末においてフォアグラウンド実行ステータスである２つのアプリケーション・クライアント間のデータ送信は、サムネイルをドラッグすることによって完了することがわかる。本方法は、従来技術におけるアプリケーション・クライアント間でデータを送信するための方法と比較して、データ送信動作を簡略化する。
【００２７】
本出願の実施形態または従来技術における技術的解決策をより明確に説明するために、本出願の実施形態または従来技術を説明するために使用される図面が以下で手短に説明される。以下の図面が本出願のいくつかの実施形態のみのためのものであり、当業者が、創造的努力なしに、これらの図面に基づいてさらなる図面を取得することもできることは明らかである。
【図面の簡単な説明】
【００２８】
【図１】本出願の一実施形態によって提供されるデータ送信方法の概略フローチャートである。
【図２】本出願の一実施形態によって提供される別のデータ送信方法の概略フローチャートである。
【図３】本出願の一実施形態によって提供される別のデータ送信方法の概略フローチャートである。
【図４】本出願の一実施形態によって提供されるドラッグ動作の概略図である。
【図５】本出願の一実施形態によって提供される別のデータ送信方法の概略フローチャートである。
【図６】本出願の一実施形態によって提供されるデータ送信装置の概略構造図である。
【図７】本出願の一実施形態によって提供される別のデータ送信装置の概略構造図である。
【図８】本出願の一実施形態によって提供される別のデータ送信装置の概略構造図である。
【発明を実施するための形態】
【００２９】
本出願の実施形態における技術的解決策は、本出願の実施形態の図面と組み合わせて、明確かつ完全に以下で説明される。明らかに、説明される実施形態は、本出願の実施形態のすべてではなく、それらの実施形態のうちのいくつかのみである。創造的作業を行うことなしに当業者によって本出願の実施形態に基づいて取得されるすべての他の実施形態は、本出願によって定義される保護範囲に入る。
【００３０】
本出願の実施形態は、ソース・クライアントに適用されるべきデータ送信方法および装置を開示し、ソース・クライアントは、モバイル端末においてフォアグラウンド実行ステータスであるクライアントであり、モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法は、ソース・クライアントとターゲット・クライアントとの間の通信接続を確立するステップと、ソース・クライアントにおけるターゲット・データのサムネイルに対するドラッグ命令を受信し、ドラッグ命令に従ってサムネイルを移動するステップと、ターゲット・データに対するデータ送信命令が受信されたかどうかを監視するステップと、受信された場合、確立された通信接続を介してターゲット・データをターゲット・クライアントに送信するステップとを含む。
【００３１】
本出願は、詳細な実施形態によって、以下で詳細に説明される。
【００３２】
本出願の一実施形態によって提供されるデータ送信方法の概略フローチャートである図１を参照されたい。本方法は、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法は、以下のステップを含む。
【００３３】
Ｓ１０１：通信接続を確立する事前設定された条件が満たされる場合に、ソース・クライアントとターゲット・クライアントとの間の通信接続を確立する。
【００３４】
本出願の一実装形態では、通信接続を確立する事前設定された条件が満たされる場合に、ソース・クライアントとターゲット・クライアントとの間の通信接続を確立するステップは、
ターゲット・クライアントに対する通信接続確立命令が受信されたかどうかを監視するステップと、
受信された場合、ソース・クライアントとターゲット・クライアントとの間の通信接続を確立するステップと、
そうでない場合、通信接続を確立する手順を終了するステップと、
を含み得る。
【００３５】
本出願の他の実施形態では、監視プロセス中にターゲット・クライアントに対する通信接続確立命令が受信されなかった場合、通信接続を確立する手順が終了され、通信接続を確立する次の手順が実施され得ることは明らかである。
【００３６】
ソース・クライアントは、通信ユニットＴＵ１を備えることができ、ターゲット・クライアントは、通信ユニットＴＵ２を備えることができ、通信ユニットＴＵ１は、通信ユニットＴＵ２と同一であることに留意されたい。この場合、ソース・クライアントとターゲット・クライアントとの間の通信接続を確立するステップは、
通信ユニットＴＵ２との通信接続を確立するために通信ユニットＴＵ１を起動することによって、ソース・クライアントとターゲット・クライアントとの間の通信接続を確立するステップ、を含み得る。
【００３７】
本出願の特定の実装形態では、ソース・クライアントはいつでも、ターゲット・クライアントに対する通信接続確立命令が受信されたかどうかを監視する。監視プロセス中にターゲット・クライアントに対する通信接続確立命令が受信された場合、ターゲット・クライアントにおける通信ユニットＴＵ２との通信接続を確立するために、通信ユニットＴＵ１が起動される。通信接続は、事実上、ソース・クライアントとターゲット・クライアントとの間のデータ送信を可能にする、ソース・クライアントとターゲット・クライアントとの間の通信接続である。監視プロセス中にターゲット・クライアントに対する通信接続確立命令が受信されなかった場合、ソース・クライアントとターゲット・クライアントとの間の通信接続を確立するステップが拒否される。
【００３８】
さらに、確立された通信接続は常に存在することができ、データ送信は、ソース・クライアントとターゲット・クライアントとの間でいつでも実施され得る。確立された通信接続は、データ送信が一度だけ実施されることを可能にすることもできる。さらに、確立された通信接続は、ある時間期間の間に存在することもでき、その間、データ送信は、ソース・クライアントとターゲット・クライアントとの間でいつでも実施され得る。これは本出願によって限定されない。
【００３９】
上述のようにフォアグラウンド実行ステータスであるクライアントは、単に、その実行インターフェースが目に見えるクライアントとして理解され得る。
【００４０】
Ｓ１０２：ソース・クライアントにおけるターゲット・データのサムネイルに対するドラッグ命令を受信し、ドラッグ命令に従ってサムネイルを移動する。
【００４１】
ここにおいて、サムネイルは、テキストのセクションもしくはピクチャもしくはテーブルとすることができ、またはファイルアイコンとすることもでき、またはターゲット・データを表す多角形とすることもできるが、このことは本出願によって限定されない。
【００４２】
Ｓ１０３：ターゲット・データに対するデータ送信命令が受信されたかどうかを監視し、受信された場合、ステップＳ１０４を実行し、そうでない場合、データ送信を終了する。
【００４３】
本出願の他の実施形態では、監視プロセス中にソース・クライアントにおけるターゲット・データに対するデータ送信命令が受信されなかった場合、データ送信が終了されるか、または次のターゲット・データの送信が実施され得るか、またはターゲット・クライアントとソース・クライアントとの間の通信接続が再確立され得ることは明らかである。
【００４４】
Ｓ１０４：確立された通信接続を介してターゲット・データをターゲット・クライアントに送信する。
【００４５】
実際には、通信接続が確立された場合に、ソース・クライアントにおけるターゲット・データに対するデータ送信命令が受信されると、この通信接続を介してターゲット・データをターゲット・クライアントに送信することが可能である。
【００４６】
例えば、モバイル端末の２つの分割画面上のフォアグラウンド実行ステータスである２つのアプリケーション・クライアントは、それぞれ、ＱＱクライアントおよびＷＰＳクライアントであり、ターゲット・データのサムネイルは、ドラッグ方式でユーザによってＱＱクライアントからＷＰＳクライアントに直接ドラッグされることがあり、データ送信命令が受信されると、ターゲット・データはＷＰＳクライアントに送信される。
【００４７】
さらに、モバイル端末の２つの分割画面上のフォアグラウンド実行ステータスであるＱＱクライアントおよびＷＰＳクライアントが両方とも、ＷＰＳ  ＳＤＫなどの通信ユニットを備える場合、通信接続はその通信ユニットを介して確立され得る。ＱＱクライアントにおけるピクチャ「ａ」をＷＰＳクライアントに配信する必要がある場合、通信ユニットによって確立された通信接続を介してピクチャ「ａ」の位置情報とサムネイルのパターンとを送信し、データ送信命令が受信されると、通信ユニットによって確立された通信接続を介してピクチャ「ａ」のデータを送信することが可能である。
【００４８】
データ送信はサムネイルを移動する間に行われることがあり、またはサムネイルを移動した後に行われることもあるが、このことは本出願によって限定されないことに留意されたい。
【００４９】
図１の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのアプリケーション・クライアント間のデータ送信は、ドラッグ方式で実現される。この方法は、従来技術におけるクライアント間でデータを送信するための方法と比較して、データ送信動作を簡略化する。
【００５０】
さらに、本出願の一実施形態は、別のデータ送信方法を提供する。本出願の一実施形態によって提供される別のデータ送信方法の概略フローチャートである図２を参照されたい。本方法は、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法におけるステップＳ１０１は、以下のステップを含み得る。
【００５１】
Ｓ１０１１：ユーザによるソース・クライアントにおけるターゲット・データのサムネイルに対する長押し動作の持続時間が事前設定された持続時間よりも長いかどうかを監視し、長い場合、引き続きステップＳ１０１２を実行し、そうでない場合、監視プロセスを終了する。
【００５２】
もちろん、本出願の他の実施形態では、ユーザによるソース・クライアントにおけるターゲット・データに対する長押し動作の持続時間が事前設定された持続時間よりも短い場合、監視プロセスは終了され、長押し動作の持続時間が事前設定された持続時間よりも長いかどうかを監視する次の手順が実施され得る。
【００５３】
Ｓ１０１２：ソース・クライアントとターゲット・クライアントとの間の通信接続を確立する。
【００５４】
上記のステップＳ１０４における例によれば、事前設定された持続時間が５ｓであり、ＱＱクライアントにおけるピクチャ「ａ」が６ｓの間ユーザによって押されることが監視される場合、６ｓは５ｓよりも長いので、ＱＱクライアントは、ＷＰＳクライアントに対する通信接続確立命令が受信されたと決定し、ＱＱクライアントとＷＰＳクライアントとの間の通信接続を確立する。その時点で、ユーザはドラッグ動作を実施し、ピクチャ「ａ」のサムネイルをＷＰＳクライアントにドラッグすることができ、データ送信命令が受信されると、ピクチャ「ａ」をＷＰＳクライアントに送る。
【００５５】
図２の実施形態を適用することによって、モバイル端末は、分割画面機能によって、その表示画面を第１の分割画面と第２の分割画面とに分け、２つのアプリケーション・クライアントの実行サーフェスを同時に表示することができる。このモバイル端末においてフォアグラウンド実行ステータスである２つのクライアント間のデータ送信は、ドラッグ方式で完了する。この方法は、従来技術におけるクライアント間でデータを送信するための方法と比較して、データ送信動作を簡略化する。
【００５６】
さらに、ターゲット・データのサムネイルが、テキストのセクション、ピクチャ、テーブル、またはターゲット・データに関連するファイルアイコンなどの特定の画像であるとき、本出願の一実施形態は、別のデータ送信方法を提供する。本出願の一実施形態によって提供される別のデータ送信方法の概略フローチャートである図３を参照されたい。本方法は、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法は、以下のステップをさらに含み得る。
【００５７】
Ｓ１０５：ドラッグ命令に従って、第１の分割画面上のサムネイルの位置Ｔ１と、第１の分割画面上のサムネイルの表示されるべき部分ＤＳ１とを決定し、位置Ｔ１において表示されるべき部分ＤＳ１を表示し、確立された通信接続を介して位置情報とサムネイルのパターンとをターゲット・クライアントに送る。
【００５８】
この方法を用いれば、ターゲット・クライアントが、受信された情報に従って、第２の分割画面上のターゲット・データのサムネイルの位置Ｔ２と、第２の分割画面上のサムネイルの表示されるべき部分ＤＳ２とを決定し、位置Ｔ２において表示されるべき部分ＤＳ２を表示することが可能であり、表示されるべき部分ＤＳ１および表示されるべき部分ＤＳ２が、サムネイルの全体を構成する。
【００５９】
ここにおいて、上述の位置情報は、全体画面に対するサムネイルの位置とすることができ、サムネイルのパターンは、サムネイルの形状（例えば、矩形、円形、多角形など）、サイズまたはピクセルなどの情報とすることができる。本出願の一実施形態によって提供されるドラッグ動作の概略図である図４（ａ）、（ｂ）、（ｃ）に示すように、その情報に従って、サムネイル・ドラッグ・プロセス中に対応するサムネイルを表示することが可能である。図４からわかるように、ターゲット・データ（ＯｂｊｅｃｔＡ）は、ターゲット・クライアント（Ａｐｐ２）にドラッグされると、最初に（ａ）、次いで（ｂ）、そして最後に（ｃ）を通過し、次いでターゲット・データ送信が完了する。
【００６０】
ドラッグ・プロセス中に、ソース・クライアントは、全体画面に対するサムネイルの位置情報と、サムネイルのパターンとを獲得し、これらの情報をターゲット・クライアントに送り、ソース・クライアントは、獲得された位置情報に従って、第１の分割画面上のサムネイルの位置Ｔ１を決定し、位置情報に対応するサムネイルのパターンに従って、位置Ｔ１において表示されるべきサムネイルの内容、すなわち、表示されるべき部分ＤＳ１を決定し、ターゲット・クライアントは、受信された位置情報に従って、第２の分割画面上のサムネイルの位置Ｔ２を決定し、位置情報に対応するサムネイルのパターンに従って、位置Ｔ２において表示されるべきサムネイルの内容、すなわち、表示されるべき部分ＤＳ２を決定する。図４（ｂ）に示すように、ターゲット・データ（ＯｂｊｅｃｔＡ）のサムネイルが分割画面の区切り線にドラッグされ、ターゲット・データのサムネイルの一部分がソース・クライアント（Ａｐｐ１）に表示され、ターゲット・データのサムネイルのその他の部分がターゲット・クライアント（Ａｐｐ２）に表示され、これらの２つの部分のサムネイルがターゲット・データ（ＯｂｊｅｃｔＡ）のサムネイルの全体を構成し、このことが、ターゲット・クライアント（Ａｐｐ２）に向かって横切る効果を生み出し、ユーザに優れた視覚効果を与える。
【００６１】
さらに、一実装形態では、ターゲット・データのサムネイルがターゲット・データを表す多角形などの抽象的なアイコンであるとき、データ送信命令を受信すると、ターゲット・データのサムネイルは、データ送信命令が受信されると解放動作が実施される位置に一跳びで移動するか、または、ターゲット・データのサムネイルは、データ送信命令が受信されると解放動作が実施される位置に直ちに表示され得る。
【００６２】
図３の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのアプリケーション・クライアント間のデータ送信は、ドラッグ方式で実現される。本方法は、従来技術におけるクライアント間でデータを送信するための方法と比較して、データ送信動作を簡略化する。
【００６３】
さらに、本出願の一実施形態は、別のデータ送信方法を提供する。本出願の一実施形態によって提供される別のデータ送信方法の概略フローチャートである図５を参照されたい。本方法は、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本方法におけるステップＳ１０３は、以下のステップを含み得る。
【００６４】
Ｓ１０３１：サムネイルに対する解放動作がユーザによって実施されるときに、第２の分割画面上で表示されたサムネイルの表示されるべき部分ＤＳ２とサムネイルの全体との比率が、事前設定された比率しきい値よりも大きいかどうかを監視し、大きい場合、ステップＳ１０３２を実行し、そうでない場合、データ送信を終了する。
【００６５】
Ｓ１０３２：ターゲット・データに対するデータ送信命令が受信されたと決定する。
【００６６】
本出願の他の実施形態では、解放動作が実施されるときに、第２の分割画面上で表示されたサムネイルの表示されるべき部分ＤＳ２とサムネイルの全体との比率が、事前設定された比率しきい値よりも大きくない場合、データ送信が終了されることは明らかである。第２の分割画面上で表示されたサムネイルの表示されるべき部分ＤＳ２とサムネイルの全体との比率が、事前設定された比率しきい値よりも大きくないかどうかを監視することは、解放動作が実施されるときに再び行われ得、ソース・クライアントとターゲット・クライアントとの間の通信接続が再確立され得る。
【００６７】
事前設定された比率しきい値が１／２であり、解放動作が実施されるときに、第２の分割画面上で表示された表示されるべき部分ＤＳ２とサムネイルの全体との比率が３／４であると仮定すると、３／４＞１／２であるので、ターゲット・データに対するデータ送信命令が受信されたと決定される。ここで、事前設定された比率しきい値は、ユーザの要件に従って修正されてもよく、１／３、２／３、３／４または１となるように設定されてもよいが、このことは本出願によって限定されない。
【００６８】
実際には、事前設定された比率しきい値は例えば１であり、次いで、解放動作が実施されるときに第２の分割画面上でサムネイル全体が表示されるかどうかが決定され、サムネイル全体が表示される場合、ターゲット・データに対するデータ送信命令が受信されたと決定される。
【００６９】
一実装形態では、解放動作が実施されるときに第２の分割画面上でサムネイル全体が表示されるかどうかを決定することは、ユーザがモバイル・デバイスの画面をタッチする点が第２の分割画面上にあるかどうかを決定することにあり得、第２の分割画面上にある場合、第２の分割画面上でサムネイル全体が表示されると決定され得、したがって、ターゲット・データに対するデータ送信命令が受信されたと決定され、次いでターゲット・データが送信される。
【００７０】
別の実装形態では、解放動作が実施されるときに第２の分割画面上でサムネイル全体が表示されるかどうかを決定することは、第２の分割画面上でサムネイルの表示されるべき部分が完全に表示されるかどうかを決定することにあり得、完全に表示される場合、第２の分割画面上でサムネイル全体が表示されると決定され得、したがって、ターゲット・データに対するデータ送信命令が受信されたと決定され、次いでターゲット・データが送信され、そうでない場合、図４（ｂ）に示すように、第１の分割画面上でサムネイルの一部分が表示され、第２の分割画面上でその他の部分が表示され、次いでターゲット・データに対するデータ送信命令が受信されなかったと決定され、データ送信が拒否される。
【００７１】
図５の実施形態を適用することによって、モバイル端末は、分割画面機能によって、その表示画面を第１の分割画面と第２の分割画面とに分け、２つのクライアントの実行サーフェスを同時に表示することができる。モバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００７２】
本出願の一実施形態によって提供されるデータ送信装置の概略構造図である図６を参照されたい。本装置は、図１に示すフローチャートに対応し、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本装置は、通信接続確立ユニット６０１と、ドラッグ命令受信ユニット６０２と、データ送信命令監視ユニット６０３と、データ送信ユニット６０４とを備えることができる。
【００７３】
ここにおいて、通信接続確立ユニット６０１は、通信接続を確立する事前設定された条件が満たされる場合に、ソース・クライアントとターゲット・クライアントとの間の通信接続を確立するために使用される。
【００７４】
ドラッグ命令受信ユニット６０２は、ソース・クライアントにおけるターゲット・データのサムネイルに対するドラッグ命令を受信し、ドラッグ命令に従ってサムネイルを移動するために使用される。
【００７５】
データ送信命令監視ユニット６０３は、ターゲット・データに対するデータ送信命令が受信されたかどうかを監視し、受信された場合、データ送信ユニットをトリガするために使用される。
【００７６】
データ送信ユニット６０４は、確立された通信接続を介してターゲット・データをターゲット・クライアントに送信するために使用される。
【００７７】
一実装形態では、ソース・クライアントは、通信ユニットＴＵ１を備え、ターゲット・クライアントは、通信ユニットＴＵ２を備え、通信ユニットＴＵ１は、通信ユニットＴＵ２と同一である。
【００７８】
この場合、通信接続確立ユニット６０１は、
通信接続を確立する事前設定された条件が満たされる場合に、通信ユニットＴＵ２との通信接続を確立するために通信ユニットＴＵ１を起動することによって、ソース・クライアントとターゲット・クライアントとの間の通信接続を確立するために特に使用される。
【００７９】
図６の実施形態を適用することによって、モバイル端末は、分割画面機能によって、その表示画面を第１の分割画面と第２の分割画面とに分け、２つのクライアントの実行サーフェスを同時に表示することができる。モバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００８０】
さらに、本出願の一実施形態は、別のデータ送信装置を提供する。本出願の一実施形態によって提供される別のデータ送信装置の概略構造図である図７を参照されたい。本装置は、図２に示すフローチャートに対応し、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本装置は、長押し動作監視サブユニット６０１１と、通信接続確立サブユニット６０１２とを備えることができる。
【００８１】
具体的には、上述の通信接続確立ユニット６０１は、長押し動作監視サブユニット６０１１と、通信接続確立サブユニット６０１２とを備えることができる。
【００８２】
長押し動作監視サブユニット６０１１は、ユーザによるソース・クライアントにおけるターゲット・データのサムネイルに対する長押し動作の持続時間が事前設定された持続時間よりも長いかどうかを監視し、長い場合、通信接続確立サブユニット６０１２をトリガするために使用される。
【００８３】
通信接続確立サブユニット６０１２は、ソース・クライアントとターゲット・クライアントとの間の通信接続を確立するために使用される。
【００８４】
図７の実施形態を適用することによって、モバイル端末は、分割画面機能によって、その表示画面を第１の分割画面と第２の分割画面とに分け、２つのクライアントの実行サーフェスを同時に表示することができる。モバイル端末においてフォアグラウンド実行ステータスであるクライアント間のデータ送信は、ドラッグ方式で完了する。本方法は、従来技術におけるクライアント間でデータを送信するための方法と比較して、データ送信動作を簡略化する。
【００８５】
さらに、本出願の一実施形態は、別のデータ送信装置も提供する。本出願の一実施形態によって提供される別のデータ送信装置の概略構造図である図８を参照されたい。本装置は、図５に示すフローチャートに対応し、ソース・クライアントに適用されるべきであり、ソース・クライアントは、モバイル端末においてフォアグラウンド実行ステータスであるクライアントである。モバイル端末は、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントは、モバイル端末においてフォアグラウンド実行ステータスであるクライアントである。本装置は、表示部分決定ユニット６０５を備えることができる。また、データ送信命令監視ユニット６０３は、サムネイル監視サブユニット６０３１と、データ送信命令決定サブユニット６０３２とを備える。
【００８６】
ここにおいて、表示部分決定ユニット６０５は、ドラッグ命令に従って、第１の分割画面上のサムネイルの表示されるべき部分ＤＳ１と、第１の分割画面上のサムネイルを表示するべき領域ＤＳ１１とを決定し、領域ＤＳ１１において表示されるべき部分ＤＳ１を表示し、確立された通信接続を介して位置情報とサムネイルのパターンとをターゲット・クライアントに送ることであって、その結果、ターゲット・クライアントが、受信された情報に従って、第２の分割画面上のサムネイルの表示されるべき部分ＤＳ２と、第２の分割画面上のサムネイルを表示するべき領域ＤＳ１２とを決定し、領域ＤＳ１２において表示されるべき部分ＤＳ２を表示する、ことを行うために使用される。ここにおいて、表示されるべき部分ＤＳ１および表示されるべき部分ＤＳ２は、サムネイルの全体を構成する。
【００８７】
ここで、第１の分割画面上のサムネイルを表示するべき領域ＤＳ１１は、第１の分割画面上のサムネイルの位置Ｔ１として理解され得、第２の分割画面上のサムネイルを表示するべき領域ＤＳ１２は、第２の分割画面上のサムネイルの位置Ｔ２として理解され得る。
【００８８】
サムネイル監視サブユニット６０３１は、サムネイルに対する解放動作がユーザによって実施されるときに、第２の分割画面上で表示されたサムネイルの表示されるべき部分ＤＳ２とサムネイルの全体との比率が、事前設定された比率しきい値よりも大きいかどうかを監視し、大きい場合、データ送信命令決定サブユニットをトリガするために使用される。
【００８９】
データ送信命令決定サブユニット６０３２は、ターゲット・データに対するデータ送信命令が受信されたと決定するために使用される。
【００９０】
図８の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００９１】
本出願の一実施形態は、表示画面と、筐体と、プロセッサと、メモリと、回路板と、電源回路とを備えるモバイル端末を開示し、回路板は、筐体によって囲まれた空間内部に配設される。プロセッサおよびメモリは、回路板上に設けられる。電源回路は、電力をモバイル端末の各回路またはデバイスに供給するために使用される。メモリは、実行可能プログラムコードを記憶するために使用される。表示画面は、モバイル端末においてフォアグラウンド実行状態であるクライアントであるソース・クライアントの実行インターフェースを表示するための第１の分割画面と、モバイル端末においてフォアグラウンド実行状態であるクライアントであるターゲット・クライアントの実行インターフェースを表示するための第２の分割画面とに分けられる。プロセッサは、メモリに記憶されたソース・クライアントの実行可能プログラムコードを実行することによって、以下のステップ、すなわち、
通信接続を確立する事前設定された条件が満たされる場合に、ソース・クライアントとターゲット・クライアントとの間の通信接続を確立するステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施する。
【００９２】
一実装形態では、ソース・クライアントは、通信ユニットＴＵ１を備え、ターゲット・クライアントは、通信ユニットＴＵ２を備え、通信ユニットＴＵ１は、通信ユニットＴＵ２と同一であり、
モバイル端末は、
通信ユニットＴＵ２との通信接続を確立するために通信ユニットＴＵ１を起動することによって、ソース・クライアントとターゲット・クライアントとの間の通信接続を確立するために特に使用される。
【００９３】
一実装形態では、モバイル端末は、
ドラッグ命令に従って、第１の分割画面上のサムネイルの位置Ｔ１と、第１の分割画面上のサムネイルの表示されるべき部分ＤＳ１とを決定し、位置Ｔ１において表示されるべき部分ＤＳ１を表示し、確立された通信接続を介して位置情報とサムネイルのパターンとをターゲット・クライアントに送ることであって、その結果、ターゲット・クライアントが、受信された情報に従って、第２の分割画面上のターゲット・データのサムネイルの位置Ｔ２と、第２の分割画面上のサムネイルの表示されるべき部分ＤＳ２とを決定し、位置Ｔ２において表示されるべき部分ＤＳ２を表示し、表示されるべき部分ＤＳ１および表示されるべき部分ＤＳ２が、サムネイルの全体を構成する、ことを行うためにさらに使用される。
【００９４】
上記の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００９５】
本出願の一実施形態は、実行されると、以下のステップ、すなわち、
通信接続を確立する事前設定された条件が満たされる場合に、ソース・クライアントとターゲット・クライアントとの間の通信接続を確立するステップであって、ソース・クライアントが、モバイル端末においてフォアグラウンド実行状態であるクライアントであり、モバイル端末が、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントが、モバイル端末においてフォアグラウンド実行状態であるクライアントである、ステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施するための実行可能プログラムコードも開示する。
【００９６】
上記の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００９７】
本出願の一実施形態は、実行可能プログラムコードを記憶するための記憶媒体も開示し、実行可能プログラムコードは、以下のステップ、すなわち、
通信接続を確立する事前設定された条件が満たされる場合に、ソース・クライアントとターゲット・クライアントとの間の通信接続を確立するステップであって、ソース・クライアントが、モバイル端末においてフォアグラウンド実行状態であるクライアントであり、モバイル端末が、分割画面機能によって、その表示画面を、ソース・クライアントの実行インターフェースを表示するための第１の分割画面と、ターゲット・クライアントの実行インターフェースを表示するための第２の分割画面とに分け、ターゲット・クライアントが、モバイル端末においてフォアグラウンド実行状態であるクライアントである、ステップと、
ソース・クライアントにおけるターゲット・データのサムネイルに対するドラッグ命令を受信し、ドラッグ命令に従ってサムネイルを移動するステップと、
ターゲット・データに対するデータ送信命令が受信されたかどうかを監視するステップと、
受信された場合、確立された通信接続を介してターゲット・データをターゲット・クライアントに送信するステップと、
を実施するために実行される。
【００９８】
上記の実施形態を適用することによって、モバイル端末は、分割画面機能によって、その表示画面を第１の分割画面と第２の分割画面とに分け、２つのクライアントの実行サーフェスを同時に表示することができる。このモバイル端末においてフォアグラウンド実行ステータスである２つのクライアント間のデータ送信は、ドラッグ方式で完了する。本方法は、従来技術におけるクライアント間でデータを送信するための方法と比較して、データ送信動作を簡略化する。
【００９９】
装置、モバイル端末、実行可能プログラムコードおよび記憶媒体の実施形態が手短に説明され、デバイスの実施形態は方法の実施形態と実質的に同様であるので、その関連する内容について方法の実施形態の説明を参照することができる。
【０１００】
「第１の」、「第２の」などの本明細書における関係の用語は、あるエンティティまたは動作を別のエンティティまたは動作と区別するためのみに使用されるが、これらのエンティティまたは動作間に実際の関係または順序があることを必ずしも要求または暗示するわけではないことに留意されたい。さらに、「含む（ｉｎｃｌｕｄｅ）」、「備える（ｃｏｍｐｒｉｓｅ）」という用語またはその任意の変形態は、一連の要素を備えるプロセス、方法、物品、またはデバイスが、列挙されたそれらの要素だけでなく、具体的に列挙されていない他の要素あるいはこれらのプロセス、方法、物品、またはデバイスに固有の要素も備えるような、非排他的包含を含むことを意図する。さらなる限定なしに、「〜を備える（ｃｏｍｐｒｉｓｅ（ｓ）  ａ／ａｎ・・・）」という文言によって限定される要素は、列挙された要素を備えるプロセス、方法、物品、またはデバイスにおいて追加の同一の要素があることを除外しない。
【０１０１】
上記の方法の実装形態におけるステップのすべてまたは部分は、ＲＯＭ／ＲＡＭ、ディスクおよび光ディスクなどのコンピュータ可読記憶媒体に記憶され得るプログラムによって命令されている関連ハードウェアによって実施され得ることが、当業者によって理解され得る。
【０１０２】
上記で説明した実施形態は、本出願の好ましい実施形態にすぎず、本出願の保護範囲を限定することは意図していない。本出願の趣旨および原理内の任意の修正、代替、改善などは、本出願の保護範囲に含まれる。
【図１】
2018503185.tif 000003
【図２】
2018503185.tif 000004
【図３】
2018503185.tif 000005
【図４】
2018503185.tif 000006
【図５】
2018503185.tif 000007
【図６】
2018503185.tif 000008
【図７】
2018503185.tif 000009
【図８】
2018503185.tif 000010
【国際調査報告】
2018503185.tif 000011
2018503185.tif 000012
2018503185.tif 000013
2018503185.tif 000014